(57)【要約】【課題】延長管部で清掃をするときなどに、延長管部と吸込口体との角度を変えることで簡単に延長管部と吸込口体とを分離できる電気掃除機を提供する。【解決手段】この電気掃除機は、吸込口体１の吸込口体本体１０に延長管部３０を着脱可能とされており、延長管部３０と吸込口体本体１０とには、延長管部３０と吸込口体本体１０とを接続状態を維持する揺動部材２７と被掛止板部５３とからなるロック機構を備えており、ロック機構は、吸込口体本体１０の床面に対向する吸込面１１と延長管部３０とのなす角度を略９０°開いたときに、延長管部３０と吸込口体本体１０とを分離可能とする。【選択図】  図１８
2005296284.tif 000002
【特許請求の範囲】
【請求項１】
吸込口体と延長管部とを備えた電気掃除機において、前記延長管部を前記吸込口体に装着したときに両者をロックさせ、前記吸込口体の被清掃面に対向する吸込面と前記延長管部とのなす角度が所定角度開いたときに、前記延長管部と前記吸込口体とを分離可能とするロック機構が、前記吸込口体と前記延長管部とにわたって設けられていることを特徴とする電気掃除機。
【請求項２】
請求項１の電気掃除機において、
前記吸込口体は、
吸込口本体と、
前記吸込口本体と前記延長管部との間に設けられて両者を連通可能とすると共に前記吸込口本体の進退方向に傾動する傾動接続管部とを有し、
前記ロック機構は、
前記傾動接続管部に設けられると共に一方に爪部を有し他方に被押圧部を有した揺動部と、前記延長管部に設けられると共に前記爪部に掛止される被掛止部と、
前記被押圧部に当接して前記爪部を前記被掛止部に掛止する方向に付勢する弾性部材と、
前記吸込口体に設けられると共に前記吸込面と前記延長管部とのなす角度が前記所定角度開いたときに前記被押圧部を前記弾性部材に抗して押圧して前記爪部と前記被掛止部との掛止を外すことによりロックを解除する押圧部と
を備えたことを特徴とする電気掃除機。
【請求項３】
請求項２の電気掃除機において、
前記ロック機構は、前記被押圧部と、前記被押圧部よりも小さい力でロック機構を解除可能な押圧ボタンとを備えたことを特徴とする電気掃除機。
【請求項４】
請求項２の電気掃除機において、
前記吸込口体は、前記吸込口本体と前記延長管部との間に設けられて両者を連通可能とすると共に、前記吸込口本体の進退方向を回動軸として回動する回動接続管部を有し、
前記所定角度は、
前記傾動接続管部の傾動が前記所定角度まで到達する前に前記傾動接続管部と前記吸込口本体とが前記押圧部又は前記被押圧部以外の箇所で接触可能な角度以上の傾動範囲内に設定されている
ことを特徴とする電気掃除機。
【請求項５】
請求項１乃至請求項４の何れかの電気掃除機において、前記延長管部の前記吸込口体との接続部位に補助清掃体を設けたことを特徴とする電気掃除機。
【請求項６】
請求項５の電気掃除機において、前記補助清掃体は前記補助清掃体の清掃面が前記延長管部との角度を変更可能に支持されていることを特徴とする電気掃除機。
【発明の詳細な説明】
【技術分野】
【０００１】
本発明は電気掃除機に関し、更に詳しくは、吸込口体の他に補助ブラシを備え、補助ブラシと吸込口体とを着脱可能な電気掃除機に関する。
【背景技術】
【０００２】
従来の電気掃除機としては、床ノズルに小型ノズルを着脱可能に装着して両方のノズルを切換可能とし、広範囲の掃除を行うことができるようにしたものが知られている（例えば、特許文献１参照。）。
【０００３】
この電気掃除機は、掃除機本体に接続される連結管に小型ノズルが接続され、この小型ノズルに床ノズルが着脱可能に装着されるものであり、小型ノズルを床ノズルに装着した状態で床ノズルで使用ができ、床ノズルの連結管を装着する部位の近傍に足踏み式の操作ペダルを設け、この操作ペダルを足で踏むことで床ノズルと小型ノズルを分離できるようになっているものであり、床ノズルが入らないような狭い場所や階段等を清掃可能にしたものである。
【特許文献１】特開２００３−３３９５８５号公報
【発明の開示】
【発明が解決しようとする課題】
【０００４】
しかしながら、従来の電気掃除機は、操作ペダルを足で踏んで床ノズルの着脱を行うものであるため、床ノズルの操作性を損なわないように操作ペダルの大きさを設定する必要があり、操作ペダルの大きさは十分に大きいものではなかった。そのため、床ノズルから小型ノズルを取り外す作業がしにくいという問題があった。
【０００５】
また、掃除中に家具等に操作ペダルが当たって簡単に外れてしまうため、掃除中に不意に床ブラシと小型ノズルが外れてしまうという問題があった。
【０００６】
それに対応して操作ペダルを踏み込む力を大きめとした場合、清掃する場所や身体の状態如何によって手指で取り外したい場合には、指に強い力を込める必要があったり、通常時は足で踏んでいるところを指で操作するので指が汚れたりすることもあった。
【０００７】
本発明は、床ノズル使用時等には不意に両者が外れることがないとともに、延長管部で清掃をするときは、簡単に延長管部と吸込口体とを分離できる電気掃除機を提供することを目的とする。
【課題を解決するための手段】
【０００８】
上記課題を解決するために、本願の電気掃除機は、吸込口体と延長管部とを備えた電気掃除機において、前記延長管部を前記吸込口体に装着したときに両者をロックさせ、前記吸込口体の被清掃面に対向する吸込面と前記延長管部とのなす角度を所定角度開いたときに、前記延長管部と前記吸込口体とを分離可能とするロック機構が、前記吸込口体と前記延長管部とにわたって設けられていることを特徴とする。
【発明の効果】
【０００９】
本願の電気掃除機によれば、延長管部と吸込口体の吸込面とのなす角度が、ほぼ９０°（９０°＋−１０°）に開くと、延長管部と吸込口体とのロックが解除されて両者が分離可能となるので、清掃時等には不意に両者が外れることがなく、窓や狭い隙間など延長管部で清掃をするときなどに、延長管部と吸込口体との角度を変えることで簡単に延長管部と吸込口体とを分離できる。
【００１０】
これによって、延長管部で清掃を行う場合や後片付け等の際に、しゃがんだり、屈んだりすることが少なくなり、作業が楽であると共に、両者を掴むことも少なくなって衛生的である。
【発明を実施するための最良の形態】
【００１１】
以下、本発明を実施するための最良の形態を実施例に基づいて説明する。
【実施例】
【００１２】
図１は本発明の実施例にかかる電気掃除機の吸込口体と延長管部との構成を示している。この電気掃除機において、吸込口体１は、吸込口本体１０と、接続管部２０とで構成されており、この接続管部２０に延長管部３０が接続可能とされている。延長管部３０は接続管部２０から着脱可能とされている。
【００１３】
延長管部３０には図示しないユーザーが清掃時に手で握る手元操作部が接続され、手元操作部は図示しないホースを介して掃除機本体（図示省略）に接続されるものであり、掃除機本体が電源に接続されているとき、手元操作部の操作スイッチをユーザーが操作することにより、吸込口本体１０の吸込面１１（図１８参照）の吸込口１２から空気が吸引され、接続管部２０、延長管部３０、手元操作部、ホースを経由して空気が送られて、掃除機本体の集塵室内の集塵バッグ（図示省略）に塵埃が集められる。
【００１４】
吸込口本体１０は、図１８、図１９に示すように、上ケース１３Ａと下ケース１３Ｂとの前方下部に吸込口１２が形成されている。吸込口１２の上方には、図示しないモーターによって回転するブラシ１４Ａを備えた回転清掃体１４が配設されており、回転清掃体１４の奥に空気を集める吸気室１５が形成されている。吸気室１５の後方は接続管部２０の接続管吸込口２１の通路に連なっている。吸込口本体１０の後部には、接続管部２０が水平方向に延びる吸込口本体部の進退方向としてのＸ軸の軸回り方向に回転可能に取り付けられている。吸込口本体１０の後部には一対の脚部１６が形成されており、一対の脚部１６の間に後部車輪１７が回転自在に支持されている。
【００１５】
図８は接続管部２０の構成を示す。接続管部２０は、前述の上ケース１３Ａと下ケース１３Ｂの間に固定される接続管吸込口２１と、この接続管吸込口２１の後部にＸ軸の軸回りに回転可能な回動接続管２２と、回動接続管２２の下部を覆う回動接続管下カバー２３と、回動接続管２２に接続される傾動接続管２４と、傾動接続管２４の上部を覆う傾動接続管上カバー２５と、傾動接続管２４の前端部下端部と回動接続管下カバー２３の隙間を塞ぐシャッター２６と、延長管部３０との接続分離を行うための揺動部材２７及び揺動部材２７の補助レバー２８からなる揺動部２９とを備えている。
【００１６】
接続管吸込口２１は、図８に示すように、傾動接続管２４の内部通路と吸気室１５側とを接続する漏斗形状の管とされ、接続管吸込口２１の後部に回動接続管２２がＸ軸回りに回転可能に取り付けられる。回動接続管２２の下部には回動接続管下カバー２３が取り付けられ、回動接続管２２と回動接続管下カバー２３との間に傾動接続管２４の前端部が保持される。回動接続管下カバー２３の上部には、上端部に半円形の軸受凹部２３Ａが形成された軸受板部２３Ｂが形成されており、この軸受凹部２３Ａに傾動接続管２４の前端部の回転軸部２４Ａが保持される。
【００１７】
シャッター２６の上端部も同様に回転軸部２４Ａに当接する凹部２６Ａを備えている。シャッター２６は回動接続管下カバー２３の球面状内面と隙間をつくらずに密着しつつ回転するように球面状に形成されている。シャッター２６の後部内側には傾動接続管２４の前端部下面に形成された凸部２４Ｂ（図１８参照）に掛け止められる凸部２６Ｂ（図１８参照）が形成されており、傾動接続管２４が回転軸部２４Ａ（Ｙ軸中心）を中心として傾動することに伴って、凸部２４Ｂが凸部２６Ｂを掛止した状態で、シャッター２６を回転軸部２４Ａを中心として回転する。回転軸部２４ＡはＸ軸に直交するＹ軸の中心として機能する。傾動接続管２４の前端部下面２４Ｃは、シャッター２６との隙間から空気を吸い込まないように、シャッター２６の内面に密着する球面状の凸形表面形状を有している。
【００１８】
回動接続管２２は、接続管吸込口２１の内部及び傾動接続管２４とを接続する吸気通路２２Ａを有している。回動接続管２２には傾動接続管２４の前端部を保持するための凹部２２Ｂが形成されており、この凹部２２Ｂの奥壁には傾動接続管２４に通じる開口部が形成されており、凹部２２Ｂの奥壁の開口部は吸気通路２２Ａに通じている。この凹部２２Ｂの両側の突出部２２Ｃと回動接続管下カバー２３と間に、回転軸部２４Ａの両端部が保持される。回動接続管２２は、回動接続管下カバー２３及びシャッター２６と共に、傾動接続管２４の前端部を保持するように、回動接続管下カバー２３の左右一対のネジ穴２３Ｃにネジを通して結合される。符号２２Ｆはこのネジを螺着するボスである。
【００１９】
凹部２２Ｂの上部の縁部には補助レバー２８を傾動接続管２４側に押し付けるための突起部２２Ｄ（押圧部）が膨らむように形成されている。また、凹部２２Ｂにおける吸気通路２２Ａの上部開口部２２Ｅ（図１８参照）と、傾動接続管２４の前端部及び傾動接続管上カバー２５の前端部との間に、空気の隙間ができないように、上部開口部２２Ｅには、傾動接続管２４の前端部及び傾動接続管上カバー２５のカバー部２５Ｆが接触して隙間を塞いでいる。すなわち、傾動接続管２４がＸ軸に平行或いはＸ軸からあまり角度が無い場合には、回転軸部２４Ａの外周面が上部開口部２２Ｅに接触して隙間を塞いでおり、傾動接続管２４がＸ軸に対して略９０°（＋−１０°）等の直立した状態である場合には、傾動接続管上カバー２５のカバー部２５Ｆの外周面が上部開口部２２Ｅに接触して隙間を塞いでいる。
【００２０】
傾動接続管上カバー２５は、傾動接続管２４の前側端部の上部に、上方を塞ぐように固定される。傾動接続管上カバー２５は、傾動接続管２４の間に揺動部材２７と補助レバー２８を格納するように、下方が開放される大略樋状の形状を有している。傾動接続管上カバー２５の中間部２５Ａの凹部２５Ｃの底部にネジを通し、傾動接続管２４上部のボス２４Ｄ上部のネジ穴にこのネジを螺着することで傾動接続管上カバー２５が固定される。傾動接続管上カバー２５の前方部２５Ｂは、傾動接続管２４がＸ軸に対して９０°以上起立できるように、中間部２５Ａより低く形成されている。
【００２１】
中間部２５Ａから前方部２５Ｂとの段差部２５Ｄから前方部２５Ｂにかけて、略長穴形状の開口部２５Ｅが形成されており、開口部２５Ｅに揺動部材２７の押圧ボタン部２７Ａと、補助レバー２８の被押圧突起部２８Ａ（補助押圧部材）とが、挿入されるようになっている。前方部２５Ｂの前端部には前述のカバー部２５Ｆが形成されている。カバー部２５Ｆは回転軸部２４Ａの上を覆うように取り付けられ、回転軸部２４Ａの円筒型外周面を形成する。
【００２２】
傾動接続管２４は延長管部３０の空気を吸引する通路と通じる吸気通路２４Ｅを有する。傾動接続管２４の前端部には回転軸部２４Ａが形成されている。回転軸部２４Ａの一部は小径部２４Ａａ（図１５乃至図１７参照）とされており、小径部２４Ａａは吸気通路２４Ｅの外壁部を形成している。この小径部２４Ａａにはカバー部２５Ｆが装着され、回転軸部２４Ａとカバー部２５Ｆが同じ円筒の外周面を形成する。
【００２３】
傾動接続管２４の前側上面部には、傾動接続管上カバー２５を取り付ける装着面２４Ｆが形成されており、装着面２４Ｆに傾動接続管上カバー２５が取り付けられる。傾動接続管２４の装着面２４Ｆの後方は接続筒部２４Ｇとされている。接続筒部２４Ｇは延長管部３０の内部に着脱可能に挿入される。装着面２４Ｆには揺動部材２７の揺動軸２７Ｂを支持するリブ２４Ｈが一対突設されている。一対のリブ２４Ｈは、傾動接続管２４の長手方向に互いに平行に延びており、一対のリブ２４Ｈの間に揺動部材２７が配設される。一対のリブ２４Ｈの上部には半円形状の凹部２４Ｉが形成されており、この凹部２４Ｉに揺動部材２７の中央部近傍左右に形成された揺動軸２７Ｂが保持される。一対のリブ２４Ｈの外側には、揺動軸２７Ｂ及び補助レバー２８の軸穴部２８Ｂの軸方向へのスライドを規制するストッパー２４Ｋがそれぞれ突設されている。ストッパ２４Ｋに揺動軸２７Ｂを保持させる場合には、揺動軸２７Ｂに補助レバー２８の軸穴部２８Ｂを通した後に、一対のストッパー２４Ｋ間に揺動軸２７Ｂを挿入する。
【００２４】
装着面２４Ｆの回転軸部２４Ａの近傍には、図１３乃至図１７に示す弾性部材としてのコイルスプリング２７Ｃ、２８Ｃの下端部を支持する突起部２４Ｌ、２４Ｍが形成されている。また、装着面２４Ｆのボス２４Ｄの近傍には吸込口本体１０のモーターに給電するリード線（図示省略）の保持突起２４Ｎが形成されている。前述のリード線は揺動部材２７と装着面２４Ｆの間を通されて端子２４Ｏ、２４Ｐに接続される。なお、端子２４Ｏ、２４Ｐはリブ２４Ｈの外側に突設された保持突起部２４Ｑ、２４Ｒ（図１０参照）に掛止され、支持溝部２４Ｓ、２４Ｔに保持される。
【００２５】
傾動接続管２４の前部側面には、図１０に示すように、第１突起２４Ｕと第２突起２４Ｖが形成されている。第１突起２４Ｕは、回動接続管２２の突起部２２Ｃの内側に形成した突起部２２Ｇ（図８参照）と当接することによって、傾動接続管２４をＸ軸に対して９０°近傍に起立させた状態を維持できるようになっている。第２突起２４Ｖはシャッター２６の端部と当接して傾動接続管２４を起立状態からＸ軸側に倒すときに、シャッター２６を吸込口本体１０側に傾動させる。
【００２６】
傾動接続管２４の左右側面部下部には、延長管部３０の後述する補助清掃体４０を傾動接続管２４の軸方向に対して直角に向けて姿勢を維持するためのガイド突起２４Ｗが形成されている。ガイド突起２４Ｗは傾動接続管２４の軸方向に延びている。
【００２７】
図１１、図１２は、揺動部材２７及び補助レバー２８を示す。揺動部材２７は延長管部３０を傾動接続管２４に結合させるためのものであり、揺動部材２７の延長管部３０側の先端部に鈎状の爪部２７Ｄが形成され、揺動部材２７の吸込口本体１０側の先端部に押圧ボタン部２７Ａが形成されている。揺動部材２７と後述する被掛止板部５３（図９参照）とは吸込口体本体１０と延長管部３０とを接続して固定するロック機構を構成している。
【００２８】
図１３乃至図１７に示すように、押圧ボタン部２７Ａの裏側にはコイルスプリング２７Ｃの上端部を挿入する凹部が形成されている。揺動部材２７の揺動軸２７Ｂの押圧ボタン部２７Ａとの間には、上下方向に貫通する円形環状部２７Ｅが形成されている。円形環状部２７Ｅにはボス２４Ｄが透き間が空くように通され、揺動部材２７が揺動可能とされている。２７Ｆは揺動部材２７を樹脂成形するときのひけを解消する凹部である。揺動部材２７の押圧ボタン部２７Ａ側の端部には、補助レバー２８の被押圧突起部２８Ａと接触する突起部２７Ｇ（図１２参照）が形成されている。突起部２７Ｇは、補助レバー２８の被押圧突起部２８Ａを押したときに、爪部２７Ｄを持ち上げるように、揺動部材２７を揺動させて、延長管部３０を離脱可能とする。揺動部材２７の押圧ボタン部２７Ａを押すと、補助レバー２８は揺動しないが、揺動部材２７は爪部２７Ｄが持ち上げられる。突起部２７Ｇには、コイルスプリング２７Ｃの伸縮を許容する凹部が形成されている。
【００２９】
補助レバー２８は、被押圧突起部２８Ａの両側にレバー部２８Ｃが突出するように形成され、レバー部２８Ｃの先端部に軸穴部２８Ｂが形成されている。被押圧突起部２８Ａの裏側にはコイルスプリング２８Ｃの上端部を挿入する凹部が形成され、更にこの凹部の底部にコイルスプリング２８Ｃの上端部を固定する突起部２８Ｅ（図１３参照）が突設されている。押圧ボタン部２７Ａと被押圧部としての被押圧突起部２８Ａは上下に並んで配設されており、被押圧突起部２８Ａが押圧ボタン部２７Ａより下に位置している。
【００３０】
揺動部材２７の爪部２７Ｄは、図１３に示すコイルスプリング２７Ｃとコイルスプリング２８Ｃとで、付勢されており、コイルスプリング２７Ｃの弾発付勢力は、爪部２７Ｄで延長管部３０を十分に掛止できる弾性力を有する。コイルスプリング２８Ｃの弾発付勢力は、同様に爪部２７Ｄで延長管部３０を十分に掛止できる弾性力を有する。従って、接続管部２０をＸ軸から上方に起立させ、被押圧突起部２８Ａが押圧部としての突起部２２Ｄに当たって押されると、爪部２７Ｄが持ち上げられ、延長管部３０の被掛止部が解放されて延長管部３０が離脱される。
【００３１】
また、コイルスプリング２８Ｃの弾性係数は、コイルスプリング２７Ｃの弾性係数に比べて大きく設定してある。そのため、押圧ボタン部２７Ａを押したときの方が、被押圧突起部２８Ａを押したときよりも軽い力で爪部２７Ｄを持ち上げることができる。
【００３２】
図１に示すように、延長管部３０は延長管本体３１と補助清掃体４０とからなる。延長管本体３１は前述の手元操作部から延びる管部であり、解除ボタン４１を押すことによって補助清掃体４０を延長管本体３１から分離できるようになっている。延長管本体３１の先端部は接続筒部２４Ｇに挿入されて延長管本体３１と連通する風路が形成される。
【００３３】
図９は延長管部３０を示す。補助清掃体４０は、補助ブラシ４２と、補助管部４３と、上カバー４４と、下カバー４５と、被掛止部４６とを有する。
【００３４】
補助ブラシ４２は環状枠部４７を有しており、環状枠部４７の面に起毛部４８が形成されている。起毛部４８は例えば樹脂製の柔軟な細い軸を密生させてそれらの根本を環状枠部４７に固定したものであるが、環状枠部４７に起毛布等を貼り合わせても良い。環状枠部４７の内側の左右の部位には突起４９（図２０参照）と突起５０が形成されており、左右一対の突起４９は補助管部４３の左右に形成した取付穴５１に挿入されている。環状枠部４７は突起４９を中心として回動可能とされている。突起５０は円弧状長穴５２に挿入されており、円弧状長穴５２の長さが補助ブラシ４２の揺動角度を定めている。補助管部４３の補助ブラシ４２の反対側の部位には、図９に示すように、延長管本体３１が挿入可能とされており、補助清掃体４０と延長管本体３１とが接続可能とされる。
【００３５】
突起５０は、図２０に示すように、補助清掃体４０に接続筒部２４Ｇが挿入されるときに、接続筒部２４Ｇに押される。突起５０が接続筒部２４Ｇに押されることによって、環状枠部４７が延長管本体３１に対して直角に向けられる。図２１は、補助清掃体４０に接続筒部２４Ｇが挿入されるときに、突起５０が接続筒部２４Ｇに押されて環状枠部４７が延長管本体３１に対して直角に向けられた後の状態を示す。
【００３６】
被掛止部４６は、爪部２７Ｄが乗り越えて掛止される掛止板部５３を有しており、掛止板部５３の両側に段部４４Ａの内側を塞ぐリブ５４が一対形成されている。リブ５４は上カバー４４を支持する。リブ５４の後方にはボス５５が突設されており、上カバー４４の凹部６０の底部にネジを挿入してボス５５のネジ穴にねじ込むことによって、上カバー４４が被掛止部４６の上方を閉鎖する。リブ５４の爪部２７Ｄ側の面には端子２４Ｏ、２４Ｐを挿入する端子穴５４Ａが開口されている。リブ５４の側面には端子２４Ｏ、２４Ｐを挿入する接触子５６Ａが装着され、接触子５６Ａには端子５６が取り付けられるようになっている。５６Ｂは端子５６を保持する溝である。下カバー４５は上カバー４４の側部の前後左右に形成された爪部５７によって上カバー４４と結合される。爪部５７は外側に突出する突起爪を有しており、爪部５７の突起爪を下カバーの図示しない凹部に掛止することによって上カバー４４としたカバー４５とが結合される。端子５６は被掛止部４６の後壁部５８から突出し、延長管本体３１の図示しない端子と接続可能とされている。
【００３７】
補助管部４３の補助ブラシ４２側の端部は斜めにカットされている。環状枠部４７は、傾動接続管２４の接続筒部２４Ｇを挿入するときに、上カバー４４の前側の段部４４Ａに支持されて、補助管部４３の軸線に対して直角方向に向けられる。これによって、補助ブラシ４２の起毛部４８が爪部２７Ｄに引っかかることが防止されている。補助清掃体４０で清掃を行うときには、床面に対する補助清掃体４０の傾きに応じて補助ブラシ４２が傾きを変えることができるようになっている。
【００３８】
この電気掃除機の吸込口体１は、図２に示すように吸込口本体１０の接続管部２０に延長管部３０が接続されているとき、延長管部３０を前記Ｙ軸を傾動中心としてＸ軸からほぼ９０°＋−１０°、好ましくは８０°起立させると（図３参照）、被押圧突起部２８Ａが突起部２２Ｄに押される。通常の床面清掃時に延長管部３０を床面から９０°近く（９０°＋−１０°）に起立させて清掃を行うことはないので、９０°起立させると、分離できるようになっている。
【００３９】
突起部２２Ｄに押された被押圧突起部２８Ａは揺動部材２７の突起部２７Ｇを押し、突起部２７Ｇは、揺動部材２７を揺動させて、被掛止板部５３の上に爪部２７Ｄを持ち上げる。そこで、図４に示すように、延長管部３０を床の上方に引き上げると、爪部２７Ｄが被掛止板部５３を乗り越えて延長管部３０から吸込口体１０が分離される。また、図５に示すように、吸込口体本体部１０の接続管部２０に延長管部３０が接続されているとき、押圧ボタン部２７Ａを指で押せば、揺動部材２７の爪部２７Ｄが被掛止板部５３の上に上がるので、延長管部３０と接続管部２０とを引き離すと、吸込口体本体部１０と延長管部３０とを分離でき、図６、図７に示すように、延長管部３０の補助清掃体４０で清掃が可能となる。
【００４０】
分離した吸込口体本体部１０に延長管部３０を結合する場合には、図４に示すように、環状枠部４７の内側に接続筒部２４Ｇを通し、延長管部３０を吸込口体本体部１０に近づけると、揺動部材２７の爪部２７Ｄが被掛止板部５３を乗り越えて延長管部３０と吸込口体本体部１０とが結合される。このときに、端子２４Ｏ、２４Ｐとが端子穴５４Ａに挿入されて接触子５６Ａと接触し、端子５６と接続されて吸込口体本体部１０のモーターに通電可能とされる。
【００４１】
以上説明したように、この実施例にかかる電気掃除機は、吸込口体１の吸込口体本体１０に延長管部３０を着脱可能とされており、延長管部３０と吸込口体本体１０とには、延長管部３０と吸込口体本体１０とを接続状態を維持する揺動部材２７と被掛止板部５３とからなるロック機構を備えており、ロック機構は、吸込口体本体１０の床面に対向する吸込面１１と延長管部３０とのなす角度を略９０°開いたときに、延長管部３０と吸込口体本体１０とを分離可能とする。従って、手で両者を分離することは勿論できるが、延長管部３０を吸込口体本体１０のＸ軸（床面と平行な軸）に対してほぼ９０°（＋１０°−１０°の範囲内の何れかの角度）起立させると、延長管部３０と吸込口体１とを即時に分離でき、切換が速いと共に手を使うために屈んだり、しゃがんだりする必要がないので、疲労感が少なくなる。
【００４２】
また、延長管部３０は、ロックが解除される角度を、傾動接続管２４と吸込口本体１０とが突起部２２Ｄ又は被押圧突起部２８Ａ以外の箇所で接触可能な角度以上の傾動範囲内である９０°に設定されている。すなわち、傾動接続管２４を傾動させる際、傾動接続管２４と吸込口本体１０とが接触しない回動範囲内（例えば、Ｘ軸を含むＹ軸の直交面から例えば＋−２０°の範囲内）でのみロック可能となっている。
【００４３】
これによって、通常の状態では掃除しにくい狭い所等を掃除する場合、例えば、壁際掃除をする際に、延長管部３０をＸ軸方向となるように被清掃面に沿わせた状態でＸ軸を中心として回動させた後に、Ｙ軸を中心として所定角度まで傾動させるような動作をしたとしても、所定角度に到達する前に吸込口本体１０と傾動接続管２４の傾動接続管上カバー２５とが接触して傾動を妨げるので、掃除中に不意に延長管部３０が外れてしまうことを防止できる。また、延長管部３０をＸ軸を中心に回動させながら、Ｙ軸を中心として所定角度まで傾動させたとしても同様である。
【００４４】
なお、ロック機構は、一方の端部に爪部２７Ｄを有する揺動部材２７と、揺動部材２７の爪部２７Ｄに掛止される被掛止板部５３とを有し、揺動部材２７が吸込口体１側に設けられ、延長管部３０側に被掛止板部５３が形成されているが、吸込口体１側に被掛止板部５３が設けられ、延長管部３０側に揺動部材２７が設けられていても良い。
【００４５】
更に、揺動部材２７の他端部にコイルスプリング２７Ｃ、２８Ｃの弾性力に抗して押圧することにより、爪部２７Ｄと被掛止板部５３との掛止を解除する押圧ボタン部２７Ａ（被押圧部）を設けたので、押圧ボタン部２７Ａを押すと爪部２７Ｄと被掛止板部５３との掛止が解除される。
【００４６】
さらに、被押圧突起部２８Ａとは別に押圧ボタン部２７Ａを設けると共に、押圧ボタン部２７Ａを押したときの方が、被押圧突起部２８を押したときよりも軽い力で押圧出来るようにしたので、通常の清掃状態時に誤って被押圧突起部２８Ａが押されてもコイルスプリング２７Ｃの弾性力により吸込口本体１０が弾性方向に逃げるので、ロックが解除されてしまうことがない。また、非掃除状態のときに吸込口体１の洗浄などのために使用者が吸込口体１を取り外す際には軽い力でロックを解除できるので、使い勝手が良い。
【００４７】
さらに、延長管部３０の吸込口体本体１０との接続部位に補助清掃体４０を設けたので、補助清掃体４０で狭い場所を清掃できる。また、補助清掃体４０も延長管本体３１から外すことができるので、延長管部３０の筒先のみの清掃も可能である。
【００４８】
しかも、補助清掃体４０の補助ブラシ４２は延長管部３０との角度を変更可能に支持されているので、延長管本体３１と清掃対象部位との角度の変化に応じて清掃が可能である。
【００４９】
なお、上記一実施形態において、延長管部３０が吸込口体１からはずれる角度は９０°＋−１０°、好ましくは８０°としたが、これに限られるものではなく、電気掃除機の使用形態に合わせて任意の角度で取り外し可能としても良い。
【００５０】
また、延長管部３０は、延長管部３０の最大回動角度とほぼ一致する角度に達したときに吸込口体１から外れる構成としたが、最大回動角度に達する前に吸込口体１から外れる構成としても良い。例えば、延長管部３０の最大回動角度が１２０°である場合には、延長管部３０と吸込口体１の着脱角度を１１０°＋−１０°とするとかえって取り外しがしにくくなるため、このような場合には最大角度よりも手前で外れる構成とした方がよい。
【００５１】
また、電気掃除機としては、キャニスタ型の電気掃除機に限らず、アプライト型、スティック型、或いは、ハンディ型などであっても対応させて用いることができる。
【図面の簡単な説明】
【００５２】
【図１】本発明の実施例にかかる電気掃除機の吸込口体と延長管部との結合状態を示す斜視図。
【図２】吸込口体に対して延長管部を９０°近く起立させ、両者を分離する前の斜視図。
【図３】吸込口体に対して延長管部を９０°以上起立させ、両者を分離する直前の斜視図。
【図４】吸込口体から延長管部を分離する状態の斜視図。
【図５】指で吸込口体から延長管部を分離する状態の斜視図。
【図６】延長管部を吸込口体から分離した状態の斜視図。
【図７】補助清掃体を用いて清掃する状態の斜視図。
【図８】吸込口体の接続管部の各部を示す斜視図。
【図９】延長管部の補助清掃体の各部を示す斜視図。
【図１０】揺動部材と補助レバーの接続管本体への取付状態を示す斜視図。
【図１１】揺動部材と補助レバーの斜視図。
【図１２】揺動部材と補助レバーの組み付ける状態を示す斜視図。
【図１３】揺動部材の押圧ボタン部と補助レバーが複数のコイルスプリングにより弾発付勢されている状態を示す分解斜視図。
【図１４】揺動部材の押圧ボタン部のみが押され、補助レバー側がコイルスプリングで弾発付勢されている状態を示す分解斜視図。
【図１５】揺動部材の押圧ボタン部と補助レバーが複数のコイルスプリングにより弾発付勢されている通常の状態を示す部分断面図。
【図１６】揺動部材の押圧ボタン部のみが押され、補助レバー側がコイルスプリングで弾発付勢されている状態を示す部分断面図。
【図１７】補助レバー側のみが押され、揺動部材の爪部が被掛止板部５３から外れた状態を示す部分断面図。
【図１８】吸込口体本体に対して延長管部を起立させた状態であり、補助レバーの押圧突起部が吸込口体側の突起部に未だ押されていない状態の断面図。
【図１９】吸込口体本体に対して延長管部を起立させ、補助レバーの押圧突起部が吸込口体側の突起部に押された状態の断面図。
【図２０】補助清掃体に接続管部が挿入されるときに、突起が接続管部に押されて環状枠部が延長管本体に対して直角に向けられる直前の状態を示す説明図。
【図２１】補助清掃体に接続管部が挿入されるときに、突起が接続管部に押されて環状枠部が延長管本体に対して直角に向けられる状態を示す説明図。
【図２２】補助清掃体の回動状態を示す斜視図。
【図２３】補助清掃体が回動しているときの突起等の状態を示す部分斜視図。
【符号の説明】
【００５３】
１  吸込口体
１０  吸込口体本体
１１  吸込面
１２  吸込口
１４  回転清掃体
２０  接続管部
２１  接続管吸込口
２２  回動接続管
２２Ｄ  突起部
２３  回動傾動接続管
２４  傾動接続管
２５  傾動接続管上カバー
２６  シャッター
２７  揺動部材
２７Ｃ  コイルスプリング
２７Ｄ  爪部
２８  補助レバー
２８Ａ  被押圧突起部
２８Ｃ  コイルスプリング
２９  揺動部
３０  延長管部
４０  補助清掃体
４２  補助ブラシ
４７  環状枠部
【図１】
2005296284.tif 000003
【図２】
2005296284.tif 000004
【図３】
2005296284.tif 000005
【図４】
2005296284.tif 000006
【図５】
2005296284.tif 000007
【図６】
2005296284.tif 000008
【図７】
2005296284.tif 000009
【図８】
2005296284.tif 000010
【図９】
2005296284.tif 000011
【図１０】
2005296284.tif 000012
【図１１】
2005296284.tif 000013
【図１２】
2005296284.tif 000014
【図１３】
2005296284.tif 000015
【図１４】
2005296284.tif 000016
【図１５】
2005296284.tif 000017
【図１６】
2005296284.tif 000018
【図１７】
2005296284.tif 000019
【図１８】
2005296284.tif 000020
【図１９】
2005296284.tif 000021
【図２０】
2005296284.tif 000022
【図２１】
2005296284.tif 000023
【図２２】
2005296284.tif 000024
【図２３】
2005296284.tif 000025